(57)【要約】【課題】薬剤のピッキングの際の取り間違いを防止できる調剤システムを提供する。【解決手段】調剤システム１は、処方箋に基づく処方箋データを入力する入力装置８を含むホストコンピュータ４と、薬剤が予め収容され、処方箋データに従って薬剤を払い出す薬剤払出装置１０と、処方箋データに従ってピッキングされた薬剤についてピッキング監査するピッキング監査装置２０と、を備える。薬剤払出装置１０は、薬剤払出装置１０で払い出されず補充が必要な薬剤に関する補充情報を出力する。ピッキング監査装置２０は、補充情報を入力し、補充情報に基づいて補充された補充薬剤についてピッキング監査する。【選択図】図１
2016198581.tif 000002
【特許請求の範囲】
【請求項１】
処方箋に基づく処方箋データを入力する処方箋データ入力装置と、
薬剤が予め収容され、前記処方箋データに従って薬剤を払い出す薬剤払出装置と、
前記処方箋データに従ってピッキングされた薬剤についてピッキング監査するピッキング監査装置と、を備え、
前記薬剤払出装置は、前記薬剤払出装置で払い出されず補充が必要な薬剤に関する補充情報を出力し、
前記ピッキング監査装置は、前記補充情報を入力し、前記補充情報に基づいて補充された補充薬剤についてピッキング監査する、調剤システム。
【請求項２】
前記薬剤払出装置は、払出結果票を印刷し、
前記ピッキング監査装置は、バーコードを読み取り可能なバーコード読取部を有し、薬剤に設けられるバーコードを前記バーコード読取部によって読み取ることでピッキング監査し、
前記払出結果票に前記補充情報がバーコード化して印刷され、
前記バーコード読取部が前記払出結果票に印刷されたバーコードを読み取ることにより、前記薬剤払出装置から前記ピッキング監査装置に前記補充情報が伝達される、請求項１に記載の調剤システム。
【請求項３】
前記薬剤払出装置による薬剤払出に関する払出記録と、前記ピッキング監査装置によるピッキング監査に関するピッキング記録と、を記憶する記憶装置をさらに備え、
前記補充薬剤は、前記払出記録に含まれず、前記ピッキング記録に含まれる、請求項１または請求項２に記載の調剤システム。
【発明の詳細な説明】
【技術分野】
【０００１】
本発明は、調剤システムに関し、特に、薬剤払出装置とピッキング監査装置とを備える調剤システムに関する。
【背景技術】
【０００２】
調剤作業は、病院などの薬局において、医師の処方箋に従って行なわれる。調剤作業のうち、処方箋に基づいて薬剤師が所定の種類の薬剤を適切な数量収集する作業は、ピッキングと呼ばれる。
【０００３】
ピッキング作業に関し、従来、作業指示書にピッキングすべき物品、その数量、ピッキング順序などをコード化したマーキングを携帯端末で読み込み、作業指示書に記載された物品を誤りなく収集するシステムが提案されている（たとえば、特許文献１参照）。また、処方箋に従った調剤データをコンピュータから携帯端末に転送し、携帯端末で読み取った薬剤のバーコードと調剤データ中のバーコードとを照合するシステムが提案されている（たとえば、特許文献２参照）。また、携帯端末から送信されるピッキング監査の済んだピッキング監査用処方データと、処方データに基づいて作成したピッキング監査用処方データとを照合することにより、適切に監査を行なうシステムが提案されている（たとえば、特許文献３参照）。
【０００４】
一方、予め設定したプログラムに基づいて所定の薬剤の所定数量分を自動的に収集する装置が提案されている。たとえば特許文献４では、錠剤が充填されたＰＴＰ（Press Through Package）シートを外部に取り出す際の作業効率を向上するためのシート頭出し機構を備えた調剤装置が開示されている。
【０００５】
薬局で使用される薬剤の種類は数百種類に及ぶので、それらの全てを装置に収納して自動的に収集することは困難である。そのため、比較的使用頻度の高い種類の薬剤が自動的に収集され、その他の薬剤は薬品棚からピッキングされ、両者を合わせることにより必要な薬剤を取り揃える作業が、現状行なわれている。このような作業に関し、特許文献５には、アンプルを自動で取り揃えるアンプル払出装置が処方箋に基づくアンプルのリストを出力し、そのリストではアンプル払出装置で払い出すことができなかった薬剤が強調表示され、当該リストに従って、アンプルを棚から手作業で揃える、アンプル取揃え方法が提案されている。
【先行技術文献】
【特許文献】
【０００６】
【特許文献１】特開２０００−２７６５５１号公報
【特許文献２】特開２００２−２３６７４８号公報
【特許文献３】特開２００６−８１８３７号公報
【特許文献４】特開２００８−９３１７７号公報
【特許文献５】特開平９−１９２２０１号公報
【発明の概要】
【発明が解決しようとする課題】
【０００７】
特許文献５の技術では、アンプル払出装置でアンプルを払い出した後に、アンプル払出装置で払い出すことができなかったアンプルを作業者がピッキングすることになる。そのため、全てのアンプルを取り揃えるのに時間がかかる。また、アンプルを作業者がピッキングする際に、薬剤を取り間違うおそれがある。
【０００８】
本発明は上記の課題に鑑みてなされたものであり、その主たる目的は、薬剤を取り揃えるのに要する時間を短縮するとともに、作業者による薬剤のピッキングの際に薬剤の取り間違いを防ぐことができる、調剤システムを提供することである。
【課題を解決するための手段】
【０００９】
本発明に係る調剤システムは、処方箋に基づく処方箋データを入力する処方箋データ入力装置と、薬剤が予め収容され、処方箋データに従って薬剤を払い出す薬剤払出装置と、処方箋データに従ってピッキングされた薬剤についてピッキング監査するピッキング監査装置と、を備える。薬剤払出装置は、薬剤払出装置で払い出されず補充が必要な薬剤に関する補充情報を出力する。ピッキング監査装置は、補充情報を入力し、補充情報に基づいて補充された補充薬剤についてピッキング監査する。
【００１０】
上記調剤システムにおいて好ましくは、薬剤払出装置は、払出結果票を印刷し、ピッキング監査装置は、バーコードを読み取り可能なバーコード読取部を有し、薬剤に設けられるバーコードをバーコード読取部によって読み取ることでピッキング監査し、払出結果票に補充情報がバーコード化して印刷され、バーコード読取部が払出結果票に印刷されたバーコードを読み取ることにより、薬剤払出装置からピッキング監査装置に補充情報が伝達される。
【００１１】
上記調剤システムにおいて好ましくは、薬剤払出装置による薬剤払出に関する払出記録と、ピッキング監査装置によるピッキング監査に関するピッキング記録と、を記憶する記憶装置をさらに備え、補充薬剤は、払出記録に含まれず、ピッキング記録に含まれる。
【発明の効果】
【００１２】
本発明の調剤システムによると、薬剤を取り揃えるのに要する時間を短縮でき、作業者による薬剤のピッキングの際に薬剤の取り間違いを防ぐことができる。
【図面の簡単な説明】
【００１３】
【図１】実施の形態１の調剤システムの概略構成を示すブロック図である。
【図２】薬剤払出装置の制御装置の動作を示すフローチャートである。
【図３】ピッキング監査装置の制御装置の動作を示すフローチャートである。
【図４】ピッキング監査装置の携帯端末機の動作を示すフローチャートである。
【図５】薬剤払出装置が出力する払出結果票の第一の例を示す模式図である。
【図６】薬剤払出装置が出力する払出結果票の第二の例を示す模式図である。
【図７】薬剤払出装置が出力する払出結果票の第三の例を示す模式図である。
【図８】薬剤払出装置が出力する払出結果票の第四の例を示す模式図である。
【図９】作業者による補充が必要な場合の、ピッキング監査装置の携帯端末機の動作を示すフローチャートである。
【図１０】作業者による補充が必要な場合の、ピッキング監査装置の制御装置の動作を示すフローチャートである。
【図１１】実施の形態２の調剤システムの概略構成を示すブロック図である。
【発明を実施するための形態】
【００１４】
以下、図面に基づいてこの発明の実施の形態を説明する。なお、以下の図面において、同一または相当する部分には同一の参照番号を付し、その説明は繰返さない。
【００１５】
（実施の形態１）
図１は、実施の形態１の調剤システム１の概略構成を示すブロック図である。図１に示すように、調剤システム１は、ホストコンピュータ４と、薬剤払出装置１０と、ピッキング監査装置２０とを備える。
【００１６】
ホストコンピュータ４は、入力装置８を含む。医師の作成した処方箋に基づく処方箋データは、入力装置８によって、ホストコンピュータ４に入力される。処方箋データは、処方箋識別情報、患者情報および処方情報を含む。処方箋識別情報は、処方箋の受付番号である。患者情報は、患者ＩＤおよび患者名を含む。処方情報は、薬剤名、用法および用量を含む。ホストコンピュータ４は、薬剤払出装置１０とピッキング監査装置２０とに、同時に処方箋データを送信する。
【００１７】
薬剤払出装置１０は、ピッキング作業を自動化し、調剤過誤の発生を防止するための装置である。薬剤払出装置１０は、ホストコンピュータ４から伝送された処方箋データに従って、所定の種類の薬剤を、所定の処方量分払い出す。薬剤払出装置１０は、払出装置本体１２と、制御装置１４と、印刷装置１８とを含む。払出装置本体１２には、各種の薬剤が予め収容されている。
【００１８】
制御装置１４は、ホストコンピュータ４から伝達された処方箋データに基づいて、払出対象薬剤を必要数だけ払い出すように、払出装置本体１２を制御する。制御装置１４はまた、払出結果票４０を印刷するように、印刷装置１８を制御する。制御装置１４は、記憶部１６を含む。記憶部１６は、薬剤マスタデータを記憶する。薬剤マスタデータは、処方箋データに含まれる薬剤が薬剤払出装置１０で払い出されるべき払出対象薬剤か否か、１箱あたりの薬剤個数、などの情報を含む。記憶部１６はまた、薬剤払出装置１０による薬剤払出に関する払出記録を記憶する。
【００１９】
印刷装置１８は、払出装置本体１２からの薬剤払い出しの結果に従った払出結果票４０を印刷する。払出結果票４０には、バーコード４２が印刷される。バーコード４２には、薬剤払出装置１０で払い出されず補充が必要な薬剤に関する補充情報が、バーコード化されて出力される。補充情報は、補充薬剤の薬剤コードを含む。補充情報は、補充薬剤の補充すべき数量を含んでいてもよい。
【００２０】
ピッキング監査装置２０は、作業者によるピッキングの過誤がないようにチェックするための装置である。ピッキング監査装置２０は、ホストコンピュータ４から伝送された処方箋データに従ってピッキングされた薬剤について、ピッキング監査する。本明細書中で、ピッキング監査とは、作業者による薬剤のピッキングの際に、処方箋に従った種類および数量の薬剤が揃えられ、薬剤の取り間違いがないことをチェックすることをいう。ピッキング監査装置２０は、携帯端末機２２と、制御装置２４とを含む。
【００２１】
携帯端末機２２は、バーコードを読み取るためのバーコード読取部２８を有する。携帯端末機２２は、バーコード読取部２８を介して、薬剤に設けられるバーコードを読み取る。バーコードは、薬剤を収納する薬剤棚に設けられる。バーコードは、調剤包装（ＰＴＰシートなど）に設けられてもよく、販売包装（複数のＰＴＰシートを収容する箱など）に設けられてもよい。ピッキングの際にバーコード読取部２８で読み取られたバーコードにより示される薬剤と、ホストコンピュータ４から伝送された処方箋データに示される薬剤とを照合することにより、薬剤の取り間違いがないことのチェック、すなわちピッキング監査が行なわれる。
【００２２】
携帯端末機２２はまた、払出結果票４０に印刷されたバーコード４２を読み取り、補充が必要な薬剤に関する補充情報を入力する。バーコード読取部２８がバーコード４２を読み取ることにより、薬剤払出装置１０からピッキング監査装置２０に、補充が必要な薬剤に関する補充情報が伝達される。バーコード４２の読み取りにより入力された補充情報に基づいて、作業者による追加のピッキングが行なわれた場合には、補充情報に基づいて補充された補充薬剤について、ピッキング監査装置２０による追加のピッキング監査が実行される。つまり、追加のピッキングの際に携帯端末機２２で読み取られたバーコードにより示される薬剤と、バーコード４２の読み取りにより補充薬剤として認識された薬剤と、を照合することにより、追加のピッキング監査が行なわれる。
【００２３】
制御装置２４は、無線ＬＡＮを介して、処方箋データに基づくピッキング指示データを携帯端末機２２に送信し、携帯端末機２２からピッキング結果データを受信する。制御装置２４は、記憶部２６を有する。記憶部２６は、薬剤マスタデータを記憶する。薬剤マスタデータは、処方箋データに含まれる薬剤が作業者によりピッキングされるべきピッキング対象薬剤であるか否か、などの情報を含む。記憶部２６はまた、ピッキング監査装置２０によるピッキング監査に関するピッキング記録を記憶する。
【００２４】
図２は、薬剤払出装置１０の制御装置１４の動作を示すフローチャートである。薬剤払出装置１０の制御装置１４は、図２に示す各ステップに従って、薬剤払出装置１０を制御する。図２を参照して、薬剤払出装置１０の制御装置１４の動作の詳細について説明する。
【００２５】
図２に示すように、制御装置１４は、ステップ（Ｓ１１）においてホストコンピュータ４から処方箋データを受信し、ステップ（Ｓ１２）において受信した処方箋データを解析する。制御装置１４は、処方箋データに含まれる薬剤と、記憶部１６に記憶されている薬剤マスタデータとを照合し、その結果、処方箋データに含まれる薬剤が薬剤払出装置１０で払い出されるべき払出対象薬剤であるか否かを解析する。解析の結果、制御装置１４は、処方箋データに含まれる薬剤のうち、薬剤払出装置１０で払い出される対象となる薬剤を認識する。
【００２６】
続いてステップ（Ｓ１３）において、制御装置１４は、払出装置本体１２に対し、払出対象薬剤を所定の処方量払い出すように指示する払出指示データを送信する。払出指示データを受けた払出装置本体１２は、払出対象薬剤の払い出しを行ない、払い出しの結果を示す払出結果データを制御装置１４に送信する。
【００２７】
制御装置１４は、ステップ（Ｓ１４）において、払出装置本体１２から払出結果データを受信する。ここで、払出装置本体１２から制御装置１４に送信される払出結果データは、払出装置本体１２から実際に払い出された薬剤の種類および数量を示す。つまり、払出対象薬剤に含まれていたものの実際には払出装置本体１２から払い出されなかった薬剤の情報は、払出結果データから除かれる。
【００２８】
制御装置１４はその後、ステップ（Ｓ１５）において、払出結果データに基づく払出記録を記憶部１６に記憶させる。払出記録には、払出対象薬剤に含まれていたものの実際には払出装置本体１２から払い出されなかった薬剤の情報は含まれない。制御装置１４はさらにステップ（Ｓ１６）において、印刷装置１８によって、払出結果票４０を印刷する。払出結果票４０の詳細については後述する。
【００２９】
図３は、ピッキング監査装置２０の制御装置２４の動作を示すフローチャートである。ピッキング監査装置２０の制御装置２４は、図３に示す各ステップに従って動作する。図４は、ピッキング監査装置２０の携帯端末機２２の動作を示すフローチャートである。ピッキング監査装置２０の携帯端末機２２は、図４に示す各ステップに従って動作する。図３および図４を参照して、ピッキング監査装置２０の制御装置２４および携帯端末機２２の動作の詳細について説明する。
【００３０】
図３に示すように、制御装置２４は、ステップ（Ｓ２１）においてホストコンピュータ４から処方箋データを受信し、ステップ（Ｓ２２）において受信した処方箋データを解析する。制御装置２４は、処方箋データに含まれる薬剤と、記憶部２６に記憶されている薬剤マスタデータとを照合し、その結果、処方箋データに含まれる薬剤が作業者によりピッキングされるべきピッキング対象薬剤であるか否かを解析する。処方箋データに含まれる薬剤のうち、薬剤払出装置１０で払い出されるべき払出対象薬剤に含まれない薬剤が、ピッキング対象薬剤として認識される。解析の結果、制御装置２４は、処方箋データに含まれる薬剤のうち、作業者がピッキングする対象となる薬剤を認識する。続いてステップ（Ｓ２３）において、制御装置２４は、携帯端末機２２に対し、ピッキング対象薬剤の処方情報を示すピッキング指示データを、無線ＬＡＮを介して送信する。
【００３１】
図４に示すステップ（Ｓ３１）において、携帯端末機２２は、ピッキング監査装置２０の制御装置２４からステップ（Ｓ２３）で送信されたピッキング指示データを受信する。ピッキング指示データを受けた携帯端末機２２は、画面にピッキング対象薬剤を表示する。ピッキング対象薬剤のピッキングを行なう作業者は、携帯端末機２２の画面を参照してピッキング対象薬剤を確認しながらピッキングを行ない、ピッキング対象薬剤を示すバーコードを読み取ることによりピッキング監査を行なう（ステップ（Ｓ３２））。ピッキング監査が終了すると、携帯端末機２２は、制御装置２４に対し、ピッキング監査の結果を示すピッキング結果データを送信する（ステップ（Ｓ３３））。
【００３２】
図３に戻って、ピッキング監査装置２０の制御装置２４は、ステップ（Ｓ２４）において、携帯端末機２２からピッキング結果データを受信する。制御装置２４はその後、ステップ（Ｓ２５）において、ピッキング結果データに基づくピッキング記録を記憶部２６に記憶させる。
【００３３】
作業者は、薬剤払出装置１０で払い出された薬剤と、調剤棚からピッキングした薬剤とを取り揃える際に、薬剤払出装置１０から出力された払出結果票４０を確認する。払い出しの結果、払出対象薬剤が全て薬剤払出装置１０で払い出され不足がない場合には、調剤は完了となる。払出対象薬剤の一部が薬剤払出装置１０で払い出されず不足がある場合に、後述する追加のピッキングが必要になる。作業者は、払出結果票４０に示される補充情報に基づいて、薬剤払出装置１０から払い出せなかった薬剤を再度ピッキングして取り揃える。
【００３４】
図５は、薬剤払出装置１０が出力する払出結果票４０の第一の例を示す模式図である。払出結果票４０には、薬剤払出装置１０で払い出された薬剤の払出内容の詳細が印刷される。具体的には、図５に示すように、払出結果票４０には、薬剤払出装置１０からの薬剤の払出が行なわれた年月日および時刻、処方箋の受付番号、調剤年月日、患者ＩＤならびに患者名が印刷される。処方箋の受付番号はバーコード化され、バーコード４６として払出結果票４０に印刷される。払出結果票４０にはまた、薬剤払出装置１０で払い出された薬剤の薬剤名、処方された全量および一回の使用分量が印刷される。
【００３５】
図５に示す払出結果票４０には、１回量１錠の錠剤Ａが計２１錠払い出されたことが印刷されている。必要な量の錠剤Ａの全てが薬剤払出装置１０から払い出され、作業者は錠剤Ａを追加でピッキングする必要はない。一方、払出結果票４０には、１回量１錠の錠剤Ｂが１錠不足していることが印刷されている。つまり、処方箋によると計２１錠の錠剤Ｂを払い出す必要があったにも関わらず、薬剤払出装置１０に収容された錠剤Ｂの数が少なかったため、薬剤払出装置１０から２０錠の錠剤Ｂが払い出され、払い出しの結果１錠の錠剤Ｂが不足していることが印刷されている。
【００３６】
払い出し数が不足している錠剤Ｂの薬剤コードと不足数とは、バーコード化され、バーコード４２として払出結果票４０に印刷される。バーコード４２で示された補充情報は、ピッキング監査装置２０の携帯端末機２２で読み取られ、作業者は、当該補充情報に基づいて、不足していた薬品を調剤棚からピッキングして取り揃える。払出結果票４０には、作業者による補充が必要な薬剤に対応するバーコード４２が印刷され、作業者による補充が必要ない薬剤についての情報はバーコードに印刷されない。
【００３７】
図６は、薬剤払出装置１０が出力する払出結果票４０の第二の例を示す模式図である。図６に示す払出結果票４０には、１回量１錠の錠剤Ａが計６３錠払い出されたことが印刷されている。必要な量の錠剤Ａの全てが薬剤払出装置１０から払い出され、作業者は錠剤Ａを追加でピッキングする必要はない。
【００３８】
一方、払出結果票４０には、１回量３錠の錠剤Ｂが１箱（１００錠）分払い出されなかったことが印刷されている。つまり、処方箋による錠剤Ｂの必要量が１箱当たりの錠剤Ｂの個数以上である場合、作業者が箱ごとピッキングした方が早く錠剤Ｂを準備できるので、薬剤払出装置１０からは、必要数を１箱当たりの薬剤個数で除算した結果の余り分である８９錠の錠剤Ｂが払い出され、払い出しの結果１箱分の錠剤Ｂが払い出されていないことが印刷されている。
【００３９】
箱単位でのピッキングを必要とする錠剤Ｂの薬剤コードと不足数とは、バーコード化され、バーコード４２として払出結果票４０に印刷される。バーコード４２で示された補充情報は、ピッキング監査装置２０の携帯端末機２２で読み取られ、作業者は、当該補充情報に基づいて、不足していた薬品を調剤棚からピッキングして取り揃える。
【００４０】
図７は、薬剤払出装置１０が出力する払出結果票４０の第三の例を示す模式図である。図７に示す払出結果票４０には、１回量１錠の錠剤Ａが１錠不足していることが印刷されている。つまり、処方箋によると計２１錠の錠剤Ａを払い出す必要があったにも関わらず、薬剤払出装置１０に収容された錠剤Ａの数が少なかったため、薬剤払出装置１０から２０錠の錠剤Ａが払い出され、払い出しの結果１錠の錠剤Ａが不足していることが印刷されている。
【００４１】
払出結果票４０にはまた、１回量１錠の錠剤Ｂが１錠不足していることが印刷されている。つまり、処方箋によると計２１錠の錠剤Ｂを払い出す必要があったにも関わらず、薬剤払出装置１０に収容された錠剤Ｂの数が少なかったため、薬剤払出装置１０から２０錠の錠剤Ｂが払い出され、払い出しの結果１錠の錠剤Ｂが不足していることが印刷されている。
【００４２】
払い出し数が不足している錠剤Ａの薬剤コードと不足数とは、バーコード化され、バーコード４２Ａとして払出結果票４０に印刷される。払い出し数が不足している錠剤Ｂの薬剤コードと不足数とは、バーコード化され、バーコード４２Ｂとして払出結果票４０に印刷される。バーコード４２で示された補充情報は、ピッキング監査装置２０の携帯端末機２２で読み取られ、作業者は、当該補充情報に基づいて、不足していた薬品を調剤棚からピッキングして取り揃える。
【００４３】
図８は、薬剤払出装置１０が出力する払出結果票４０の第四の例を示す模式図である。図８に示す払出結果票４０には、１回量１錠の錠剤Ａが計６３錠払い出されたことが印刷されている。必要な量の錠剤Ａの全てが薬剤払出装置１０から払い出され、作業者は錠剤Ａを追加でピッキングする必要はない。
【００４４】
一方、払出結果票４０には、１回量３錠の錠剤Ｂが１箱（１００錠）分払い出されなかったこと、および、錠剤Ｂが９錠不足していることが印刷されている。つまり、処方箋による錠剤Ｂの必要量が１箱当たりの錠剤Ｂの個数以上であり、薬剤払出装置１０からは、必要数を１箱当たりの薬剤個数で除算した結果の余り分である８９錠の錠剤Ｂを払い出す必要があったにも関わらず、薬剤払出装置１０に収容された錠剤Ｂの数が少なかったため、薬剤払出装置１０から８０錠の錠剤Ｂが払い出され、払い出しの結果９錠の錠剤Ｂが不足していることが印刷されている。
【００４５】
箱単位でのピッキングを必要とし、かつ払い出し数が不足している錠剤Ｂの薬剤コードと不足数とは、バーコード化され、バーコード４２として払出結果票４０に印刷される。バーコード４２で示された補充情報は、ピッキング監査装置２０の携帯端末機２２で読み取られ、作業者は、当該補充情報に基づいて、不足していた薬品を調剤棚からピッキングして取り揃える。
【００４６】
図９は、作業者による補充が必要な場合の、ピッキング監査装置２０の携帯端末機２２の動作を示すフローチャートである。図１０は、作業者による補充が必要な場合の、ピッキング監査装置２０の制御装置２４の動作を示すフローチャートである。薬剤払出装置１０での払い出しの結果、作業者が追加でピッキングを行ない薬剤を補充する必要がある場合、ピッキング監査装置２０の携帯端末機２２および制御装置２４は、図９および図１０に示す各ステップに従って動作する。図９および図１０を参照して、作業者による補充が必要な場合の、ピッキング監査装置２０の制御装置２４および携帯端末機２２の動作の詳細について説明する。
【００４７】
図９に示すステップ（Ｓ１３１）において、追加のピッキングを行なう作業者は、払出結果票４０に印刷されたバーコード４２を携帯端末機２２で読み取る。作業者は、払出結果票４０と携帯端末機２２の画面とを参照して、補充が必要な薬剤名および数量を確認する。続いてステップ（Ｓ１３２）において、作業者は、追加のピッキングを行ないつつ、補充が必要な薬剤に設けられたバーコードを携帯端末機２２で読み取ることにより、追加のピッキング監査を行なう。追加のピッキング監査が終了すると、ステップ（Ｓ１３３）において、携帯端末機２２は、制御装置２４に対し、追加のピッキング監査の結果を示すピッキング結果データを送信する。
【００４８】
図１０に示すステップ（Ｓ２２４）において、ピッキング監査装置２０の制御装置２４は、携帯端末機２２から追加のピッキング結果データを受信する。制御装置２４はその後、ステップ（Ｓ２２５）において、ステップ（Ｓ２５）で記憶部２６に記憶させたピッキング記録を、追加のピッキング結果データに基づき更新する。払出対象薬剤に含まれていたものの実際には払出装置本体１２から払い出されず作業者が追加のピッキングを行なった補充薬剤の情報は、追加のピッキング結果データに含まれ、ピッキング監査装置２０の記憶部２６に記憶される。
【００４９】
以上説明したように、本実施の形態の調剤システム１では、ホストコンピュータ４から薬剤払出装置１０とピッキング監査装置２０とに同時に処方箋データが送信され、薬剤払出装置１０による薬剤払出とピッキング監査装置２０によるピッキング監査とを並行することができる。そのため、全ての薬剤を取り揃えるのに要する時間を短縮することができる。
【００５０】
また、ピッキング監査装置２０は、薬剤払出装置１０によって出力される補充情報を入力し、補充情報に基づいて、補充が必要な薬剤についてピッキング監査する。そのため、ピッキング対象薬剤だけでなく、払出対象薬剤のうち、薬剤払出装置１０で払い出すことができなかった、または薬剤払出装置１０から敢えて払い出さなかった、補充が必要な薬剤についても、ピッキング監査装置２０によってピッキング監査することができる。計二回のピッキングにおいて収集された薬剤の全てをピッキング監査装置２０によりピッキング監査できるので、作業者による薬剤の取り間違いを確実に防ぐことができる。
【００５１】
また、薬剤払出装置１０の出力する払出結果票４０に補充情報がバーコード化されて印刷されており、携帯端末機２２のバーコード読取部２８で払出結果票４０に印刷されたバーコードを読み取ることにより、薬剤払出装置１０からピッキング監査装置２０に補充情報を伝達することができる。薬剤払出装置１０からピッキング監査装置２０へ補充情報を伝達するにあたって、ピッキング監査装置２０に元来設けられたバーコード読取部２８が使用され、バーコード４２を介して補充情報が伝達される。そのため、補充情報を伝達するための通信手段を別途設ける必要がなく、調剤システム１の構成を簡素化することができる。
【００５２】
薬剤払出装置１０による払出結果は、薬剤払出装置１０の制御装置１４の記憶部１６に記録される。作業者がピッキングした薬剤についてのピッキング監査の結果を示すピッキング結果データは、ピッキング監査装置２０の制御装置２４の記憶部２６に記録される。さらに、薬剤払出装置１０による払い出し後、作業者による補充が必要な場合には、追加のピッキング結果データが携帯端末機２２から制御装置２４に送信され、記憶部２６に記録される。制御装置２４は、記憶部２６に記憶されたピッキング記録を、追加のピッキング監査結果に基づいて、更新する。このようにすれば、薬剤払出装置１０による薬剤払出に関する払出記録と、ピッキング監査装置２０によるピッキング監査に関するピッキング記録と、を正確に残すことができる。払出記録とピッキング記録との合計と、処方箋データとを照合することにより、処方箋で定められた薬剤が所定の数量取り揃えられたことを、より簡易かつ確実に監査することができる。
【００５３】
（実施の形態２）
図１１は、実施の形態２の調剤システム１の概略構成を示すブロック図である。図１１に示す実施の形態２の調剤システム１は、薬剤払出装置１０の制御装置１４とピッキング監査装置２０の制御装置２４とを直接接続する配線５０を備える点で、実施の形態１と異なっている。
【００５４】
薬剤払出装置１０による払い出しの結果、作業者による補充が必要な場合、薬剤払出装置１０の制御装置１４から配線５０を介してピッキング監査装置２０の制御装置２４へ、補充が必要な薬剤名および数量に関する情報が伝達される。制御装置２４は、無線ＬＡＮを介して、補充が必要な薬剤のデータを携帯端末機２２に送信する。作業者は、携帯端末機２２の画面を参照して、補充が必要な薬剤名および数量を確認し、追加のピッキングを行なうとともに、追加のピッキング監査を行なう。
【００５５】
薬剤払出装置１０で払い出されず補充が必要な薬剤に関する情報を薬剤払出装置１０からピッキング監査装置２０に伝達する手段は、実施の形態１で説明した、払出結果票４０に印刷されたバーコード４２の読み取りに限られない。薬剤払出装置１０の制御装置１４とピッキング監査装置２０の制御装置２４を直接接続する配線５０を設け、補充が必要な薬剤に関するデータを、制御装置１４から制御装置２４に配線５０を介して自動的に送信するように、調剤システム１を構成してもよい。
【００５６】
この場合、作業者がバーコード読取部２８を用いて払出結果票４０に印刷されたバーコード４２を読み取る作業を不要とできる。したがって、処方箋データに従って薬剤を取り揃える際に作業者がすべき作業を削減できるので、作業の簡易化を達成することができる。
【００５７】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００５８】
１  調剤システム、４  ホストコンピュータ、８  入力装置、１０  薬剤払出装置、１２  払出装置本体、１４，２４  制御装置、１６，２６  記憶部、１８  印刷装置、２０  ピッキング監査装置、２２  携帯端末機、２８  バーコード読取部、４０  払出結果票、４２，４２Ａ，４２Ｂ，４６  バーコード、５０  配線。
【図１】
2016198581.tif 000003
【図２】
2016198581.tif 000004
【図３】
2016198581.tif 000005
【図４】
2016198581.tif 000006
【図５】
2016198581.tif 000007
【図６】
2016198581.tif 000008
【図７】
2016198581.tif 000009
【図８】
2016198581.tif 000010
【図９】
2016198581.tif 000011
【図１０】
2016198581.tif 000012
【図１１】
2016198581.tif 000013
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
処方箋に基づく処方箋データを入力する処方箋データ入力装置と、
薬剤が予め収容され、前記処方箋データに従って薬剤を払い出す薬剤払出装置と、
前記処方箋データに従ってピッキングされた薬剤についてピッキング監査するピッキング監査装置と、を備え、
前記薬剤払出装置は、前記処方箋データに含まれる薬剤が前記薬剤払出装置で払い出されるべき払出対象薬剤であるか否かを解析して前記払出対象薬剤を払い出し、かつ、前記払出対象薬剤に含まれていたものの実際には前記薬剤払出装置で払い出されず補充が必要な薬剤に関する補充情報を出力し、
前記ピッキング監査装置は、前記処方箋データに含まれる薬剤が作業者によりピッキングされるべきピッキング対象薬剤であるか否かを解析して前記ピッキング対象薬剤としてピッキングされた薬剤についてピッキング監査し、かつ、前記補充情報を入力し、前記補充情報に基づいて補充された補充薬剤についてピッキング監査する、調剤システム。
【請求項２】
前記薬剤払出装置は、払出結果票を印刷し、
前記ピッキング監査装置は、バーコードを読み取り可能なバーコード読取部を有し、薬剤に設けられるバーコードを前記バーコード読取部によって読み取ることでピッキング監査し、
前記払出結果票に前記補充情報がバーコード化して印刷され、
前記バーコード読取部が前記払出結果票に印刷されたバーコードを読み取ることにより、前記薬剤払出装置から前記ピッキング監査装置に前記補充情報が伝達される、請求項１に記載の調剤システム。
【請求項３】
前記薬剤払出装置による薬剤払出に関する払出記録と、前記ピッキング監査装置によるピッキング監査に関するピッキング記録と、を記憶する記憶装置をさらに備え、
前記補充薬剤は、前記払出記録に含まれず、前記ピッキング記録に含まれる、請求項１または請求項２に記載の調剤システム。
【請求項４】
前記薬剤払出装置による、前記払出対象薬剤の払出と、前記ピッキング監査装置による、前記ピッキング対象薬剤としてピッキングされた薬剤についてのピッキング監査と、を並行可能である、請求項１〜３のいずれか１項に記載の調剤システム。